(57)【要約】      （修正有）【課題】一般市民が使用出来るようになった自動体外式除細動器が適切に使用されるように支援するための自動体外式除細動器収納装置を提供する。【解決手段】ドア開閉検知部１２０がドアが開けを検知すると、警告灯部１３１の警告灯が点灯する。ケガへの一次対応備品１１１を取り出し、ドアを閉めれば警告灯は止まる。取り出し検知部１４０で自動体外式除細動器１００の取り出しを検知すると、警告灯部１３１の警告灯が点灯、警報部１３２のブザー音が鳴り、自動通報部１５０で指定された管理者及び管理センター１８０に通報し、表示部１３０の表示は自動体外式除細動器の説明メッセージから緊急メッセージに自動的に切り換わり、自動体外式除細動器１００の本体ケースに取り付けられた緊急支援メッセージ装置１７０はスピーカーで、実施者とその周囲に支援のメッセージを発する。自動体外式除細動器以外の機能は、タイマー部１６０で設定された時間で止まる。【選択図】図１
2009022701.tif 000002
【特許請求の範囲】
【請求項１】
自動体外式除細動器１００及び負傷者を救済するケガへの一次対応救急備品１１１を収納し、自動体外式除細動器収納装置側面には災害時一次対応の消火器１１２を備えた自動体外式除細動器収納装置１１０であって、通常時には、表示部１３０は自動体外式除細動器１００に関する告知表示、災害時の避難場所表示及び商用告知を表示し、自動体外式除細動器１００が取り出されたことを検知する取り出し検知手段と、前記取り出し手段により自動体外式除細動器１００が取り出されたことが検知された場合には、表示部１３０の表示は緊急メッセージに自動的に切り換わることを特徴とする自動体外式除細動器収納装置１１０である。
【請求項２】
自動体外式除細動器１００及び負傷者を救済するケガへの一次対応救急備品１１１を収納する自動体外式除細動器収納装置１１０であって、前期のトビラが開かれたことがドア開閉検知部１２０で検知された場合に、警告灯部１３１の警告灯を点灯させ、負傷者救済対象となる患者の存在と周囲への協力を通知する手段とを備えたことを特徴とする自動体外式除細動器収納装置１１０である。
【請求項３】
自動体外式除細動器１００及び負傷者を救済するケガへの一次対応救急備品１１１を収納する自動体外式除細動器収納装置１１０であって、収納した自動体外式除細動器１００が取り出されたれたことを検知する取り出し検知手段と、前記取り出し検知手段により自動体外式除細動器１００が取り出されたことが検知された場合に、自動体外式除細動器収納装置１１０を管理する管理者及び管理センター１８０に通知する通知手段を備えたことを特徴とする自動体外式除細動器収納装置１１０である。
【請求項４】
自動体外式除細動器１００及び負傷者を救済するケガへの一次対応救急備品１１１を収納する自動体外式除細動器収納装置１１０であって、収納した自動体外式除細動器１００が取り出されたれたことを検知する取り出し検知手段と、前記取り出し検知手段により自動体外式除細動器１００が取り出されたことが検知された場合に、警告灯部１３１の警告灯の点灯と警報部１３２のブザー音で、自動体外式除細動器１００の対象となる患者の存在と周囲への協力を通知する手段を備えたことを特徴とする自動体外式除細動器収納装置１１０である。
【請求項５】
自動体外式除細動器１００及び負傷者を救済するケガへの一次対応救急備品１１１を収納する自動体外式除細動器収納装置１１０であって、収納した自動体外式除細動器１００が取り出されたれたことを検知する取り出し検知手段と、前記取り出し検知手段により自動体外式除細動器１００が取り出されたことが検知された場合に、自動体外式除細動器１００本体ケースに取り付けられた緊急支援メッセージ装置１７０は自動体外式除細動器１００の対象となる患者への移動中であっても自動的に、実施者と周囲に対してスピーカーで勇気と支援のメッセージを発することを特徴とする自動体外式除細動器収納装置１１０である。
【請求項６】
自動体外式除細動器１００及び負傷者を救済するケガへの一次対応救急備品１１１を収納する自動体外式除細動器収納装置１１０であって、収納した自動体外式除細動器１００が取り出されたれたことを検知する取り出し検知手段と、前記取り出し検知手段により自動体外式除細動器１００が取り出されたことが検知された場合に、自動体外式除細動器１００を取り出した取り出し者の映像を記録する映像記録手段とその映像を自動体外式除細動器収納装置１１０管理者及び管理センター１８０に通知する手段とを備えたことを特徴とする自動体外式除細動器収納装置１１０である。
【請求項７】
自動体外式除細動器１００及び負傷者を救済するケガへの一次対応救急備品１１１を収納する自動体外式除細動器収納装置１１０であって、有線及び無線のネットワークを介して接続された自動体外式除細動器収納装置１１０に関する情報を受信する受信手段と、前記受信手段により受信された自動体外式除細動器収納装置１１０に関する情報を表示する表示手段とを備えたことを特徴とする自動体外式除細動器収納装置１１０の管理センター１８０を有する。
【請求項８】
自動体外式除細動器１００及び負傷者を救済するケガへの一次対応救急備品１１１を収納する自動体外式除細動器収納装置１１０であって、通常時には表示部１３０は自動体外式除細動器１００に関する告知表示、災害時の避難場所告知表示、及び商用告知を表示し、自動体外式除細動器１００が取り出されたことを検知する取り出し検知部１４０と、前記取り出し手段より自動体外式除細動器１００が取り出された場合には、表示部１３０の表示は緊急メッセージに自動的に切り換わる表示部１３０を含んだことを特徴とする自動体外式除細動器使用時支援方法である。
【請求項９】
自動体外式除細動器１００を収納する自動体外式除細動器収納装置１１０による自動体外式除細動器１００使用時支援方法であって、収納した自動体外式除細動器１００が取り出されたことを検知する取り出し検知部１４０と、前記取り出し検知部１４０により自動体外式除細動器１００が取り出されたことが検知された場合に、警告灯部１３１での警告灯の点灯と警報部１３２でのブザー音で自動体外式除細動器１００の対象となる患者の存在と周囲への協力を通知する警告灯部１３１、警報部１３２を含んだことを特徴とする自動体外式除細動器１００使用時支援方法である。
【請求項１０】
自動体外式除細動器１００を収納する自動体外式除細動器収納装置１１０による自動体外式除細動器１００使用時支援方法であって、収納した自動体外式除細動器１００が取り出されたことを検知する取り出し検知部１４０と、前記取り出し検知部１４０により自動体外式除細動器１００が取り出されたことが検知された場合に、自動体外式除細動器収納装置１１０を管理する、管理者及び管理センター１８０に通知する自動通報部１５０とを含んだことを特徴とする自動体外式除細動器１００使用時支援方法である。
【請求項１１】
自動体外式除細動器１００を収納する自動体外式除細動器収納装置１１０による自動体外式除細動器１００使用時支援方法であって、収納した自動体外式除細動器１００が取り出されたことを検知する取り出し検知部１４０と、前記取り出し検知部１４０により自動体外式除細動器１００が取り出されたことが検知された場合に、警告灯部１３１による警告灯の点灯と警報部１３２によるブザー音で、自動体外式除細動器１００の対象となる患者の存在と周囲への協力を通知することを含んだことを特徴とする自動体外式除細動器１００使用時支援方法である。
【請求項１２】
自動体外式除細動器１００を収納する自動体外式除細動器収納装置１１０による自動体外式除細動器１００使用時支援方法であって、収納した自動体外式除細動器１００が取り出されたことを検知する取り出し検知部１４０と、前記取り出し検知部１４０により自動体外式除細動器１００が取り出されたことが検知された場合に、自動体外式除細動器１００本体ケースに取り付けられた緊急支援メッセージ装置１７０は自動体外式除細動器１００の対象となる患者への移動中であっても、自動的に実施者と周囲に対してスピーカーで勇気と支援のメッセージを発する手段を備えたことを特徴とする自動体外式除細動器１００使用時支援方法である。
【請求項１３】
自動体外式除細動器１００を収納する自動体外式除細動器収納装置１１０による自動体外式除細動器１００使用時支援方法であって、収納した自動体外式除細動器１００が取り出されたことを検知する取り出し検知部１４０と、前記取り出し検知部１４０により自動体外式除細動器１００が取り出されたことが検知された場合に、自動体外式除細動器１００を取り出した取り出し者の映像を記録する映像記録手段とその映像を自動体外式除細動器収納装置１１０の管理者及び管理センター１８０に通知することを含んだことを特徴とする自動体外式除細動器１００使用時支援方法である。
【請求項１４】
自動体外式除細動器１００及び負傷者を救済するケガへの一次対応救急備品１１１を収納する自動体外式除細動器収納装置１１０であって、有線及び無線のネットワークを介して接続された自動体外式除細動器収納装置１１０に関する情報を受信する受信手段と、前記受信手段により受信された自動体外式除細動器収納装置１１０に関する情報を表示する表示手段とを備えたことを特徴とする自動体外式除細動器収納装置１１０の管理センター１８０自動体外式除細動器１００使用時支援方法である。
【発明の詳細な説明】
【技術分野】
【０００１】  本発明は、ケガ（一次救急備品）、防火（消火器）、いのち（自動体外式除細動器）を収納する自動体外式除細動器収納装置１１０及び自動体外式除細動器使用時支援方法に関するものであり、特に自動体外式除細動器の適切な使用を支援することが出来る自動体外式除細動器収納装置１１０及び自動体外式除細動器１００使用時支援方法に関するものである。
【背景技術】
【０００２】  ２００４年以降わが国においても自動体外式除細動器１００の使用が一般市民でも使用可能になり、心拍停止あるいは致死的重症不整脈の患者を救命するための心肺蘇生法の普及の必要性が強まっている。【０００３】  救命救急処置の対象として重要なものの一つとして心室細動と呼ばれる致死的重症不整脈がある。この致死的重症不整脈に対しては速やかに自動体外式除細動器１００を使用して、正常な脈に戻し、心臓を正常に再開させることが必要になっている。【０００４】  この装置は今まで医療関係者が行ってきたが、心拍停止状態から３分以内で行わなければ効果がなく、医療関係者のみで行うのには対応できないのが現状である。
心室細動の場合、除細動を行うことにより、１分以内では９割、３分以内では７割以上が社会復帰できる。【０００５】  したがって心拍停止あるいは致死的重症不整脈の患者に対して速やかに電気的除細動を行うことが重要であるし、この電気的除細動の行うことの出来る救助者も多くいることも重要であるし、自動体外式除細動器１００が多く設置されることが最も重要である。
【発明の開示】
【発明が解決しようとする課題】
【０００６】  米国を初め、諸外国ではいろいろな場所に自動体外式除細動器１００は設置され、一般市民も自動体外式除細動器１００を使うことが可能になっている。日本国内においては、今までは自動体外式除細動器１００の使用が認められていたのは医療関係者と国際線フライト客室乗務員、救急救命士の資格を持つ救急隊員のみに限定されていた。【０００７】  ２００４年、日本国内においても自動体外式除細動器１００が一般市民にも使用可能になり、今後自動体外式除細動器１００設置も、公共施設、駅、デパート、商店街等、人の集まる場所、心肺に負担のかかる場所に設置されていこことが予想される。【０００８】  自動体外式除細動器１００が設置されている場所には、単に自動体外式除細動器１００を設置するだけでなく、自動体外式除細動器１００が適切に使用される環境を整備し管理することが重要な課題となる。【０００９】  たとえば、心拍停止あるいは致死的重症不整脈の患者が発生した場合、実施者、周囲の人、関係者に知らせ協力を得ることが重要である。また、自動体外式除細動器１００は常に確実に使用できることが必要になる。【００１０】  本発明は、上記を鑑みてなされたものであって自動体外式除細動器１００の適切な使用を支援することが出来る自動体外式除細動器収納装置１１０及び自動体外式除細動器１００使用時支援方法を提供することを目的にしている。
【課題を解決するための手段】
【００１１】  上述した課題を解決し、目的を達成するために、本発明は自動体外式除細動器１００を収納する自動体外式除細動器収納装置１１０であって、収納した自動体外式除細動器１００が取り出されたことを検知する取り出し検知手段と前記取り出し検知手段により自動体外式除細動器１００が取り出されたことが検知された場合に、警告灯部１３１の警告灯の点灯と警報部１３２のブザー音で、自動体外式除細動器１００の対象になる患者の存在と周囲への協力を通知する手段を備えていることを特徴とする。【００１２】  また本発明は、自動体外式除細動器１００を収納する自動体外式除細動器収納装置１１０による、自動体外式除細動器１００使用時支援方法であって、収納した自動体外式除細動器１００が取り出されたことを検知する取り出し検知部１４０により、取り出されたことが検知された場合に、警告灯部１３１の警告灯の点灯と警報部１３２のブザー音で、自動体外式除細動器１００の対象になる患者の存在と周囲への協力を通知する手段とを含んだことを特徴とする。【００１３】  かかる発明によれば収納した自動体外式除細動器１００が、取り出されたことを検知した場合に自動体外式除細動器１００の対象となる患者の存在と周囲への協力を通知する構成になっており、自動体外式除細動器１００の実施者は周囲からの協力を得ることが出来る。【００１４】  また本発明は、自動体外式除細動器１００を収納する自動体外式除細動器収納装置１１０による、自動体外式除細動器１００使用時支援方法であって、収納した自動体外式除細動器１００が取り出されたことを検知する取り出し検知部１４０により、取り出されたことが検知された場合に、自動体外式除細動器１００が取り出されたことを自動体外式除細動器収納装置１１０を管理する管理者及び管理センターに通知する通報手段を備えたことを特徴とする。【００１５】  また本発明は、自動体外式除細動器１００を収納する自動体外式除細動器収納装置１１０による、自動体外式除細動器１００使用時支援方法であって、収納した自動体外式除細動器１００が取り出されたことを検知する取り出し検知部１４０により、取り出されたことが検知された場合に、自動体外式除細動器１００が取り出されたことを自動体外式除細動器収納装置１１０を管理する管理者及び管理センターに通知する自動通報部１５０を含んだことを特徴とする。【００１６】  かかる発明によれば、収納した自動体外式除細動器１００が取り出されたことを検知した場合に、自動体外式除細動器１００が取り出されたことを管理する自動体外式除細動器収納装置１１０の管理者及び管理センターは自動体外式除細動器１００の使用状況をリアルタイムに把握することができ、敏速な対応をすることが出来る。【００１７】  また本発明は自動体外式除細動器１００本体ケースに取り付けられた緊急支援メッセージ装置１７０は自動体外式除細動器１００の対象となる患者への移動中であっても、自動体外式除細動器１００取出し検知部１４０と連動して、自動的に自動体外式除細動器１００の実施者と周囲に対してスピーカーで勇気と支援のメッセージを発する手段を備えたことを特徴とする。【００１８】  また本発明は自動体外式除細動器１００本体ケー��に取り付けられた緊急支援メッセージ装置１７０は自動体外式除細動器１００の対象となる患者への移動中であっても、自動体外式除細動器１００取出し検知部１４０と連動して、自動的に自動体外式除細動器１００の実施者と周囲に対してスピーカーで勇気と支援の緊急支援メッセージ装置１７０を含んだことを特徴とする。【００１９】    かかる発明によれば収納した自動体外式除細動器１００が取り出されたことを検知した場合、自動体外式除細動器１００本体ケースに取り付けられた緊急支援メッセージ装置１７０は自動体外式除細動器１００の対象となる患者への移動中であっても、自動体外式除細動器１００取出し検知部１４０と連動して、自動的に自動体外式除細動器１００の実施者と周囲に対してスピーカーで勇気と支援を発することで、落ち着きと周囲からの協力を得られ救命救急活動は敏速に行われる。【００２０】  また本発明は、自動体外式除細動器１００を収納する自動体外式除細動器収納装置１１０による、自動体外式除細動器１００使用時支援方法であって、収納した自動体外式除細動器１００が取り出されたことを検知する取り出し検知部１４０により、取り出されたことが検知された場合に、自動体外式除細動器１００を取り出した取出し者の映像を記録する映像記録手段と、その映像を自動体外式除細動器収納装置１１０の管理者及び管理センターに通知する自動通報部１５０を備えていることを特徴とする。【００２１】  また本発明は、自動体外式除細動器１００を収納する自動体外式除細動器収納装置１１０による、自動体外式除細動器１００使用時支援方法であって、収納した自動体外式除細動器１００が取り出されたことを検知する取り出し検知部１４０により、取り出されたことが検知された場合に、自動体外式除細動器１００を取り出した取出し者の映像を記録する映像記録手段と、その映像を自動体外式除細動器収納装置１１０の管理者及び管理センターに通知する自動通報部１５０を含んだことを特徴とする。【００２２】  かかる発明によれば、収納した自動体外式除細動器１００が取り出されたことを検知した場合に、取り出し者の映像を記録及び通知するように構成してあり、いたずら等で自動体外式除細動器１００が救命救急処置以外に取り出されるのを防ぐことが出来る。
【発明の効果】
【００２３】  本発明によれば、自動体外式除細動器１００の実施者は周囲の協力を得られるので、自動体外式除細動器１００を適切に及び敏速に使用できるという効果を奏する。【００２４】  また本発明によれば、自動体外式除細動器収納装置１１０には、負傷者を救済するケガへの一次対応救急処置備品１１１が備えてあり、自動体外式除細動器収納装置１１０の扉が開かれたことが検知された場合、警告灯部１３１の警告灯を点灯させ、負傷者の救済の対象となる患者の存在と周囲への協力を通知し、負傷者を救済するケガへの一次対応救急処置に有効に利用できるという効果を奏する。【００２５】  また本発明によれば、自動体外式除細動器収納装置１１０の側面には一次対応の消火器１１２を備えてあり、火災への一次対応に有効に利用できるという効果を奏する。【００２６】  また本発明によれば、自動体外式除細動器収納装置１１０の表示部１３０は通常時に於いては、自動体外式除細動器１００に関する告知表示、災害時の避難場所の告知表示及び商用告知を表示し、自動体外式除細動器１００が取り出されたことを検知すると、表示部１３０は自動的に緊急メッセージに切り換わり、周囲の協力を得ることが出来るという効果を奏する。【００２７】  また本発明によれば、自動体外式除細動器収納装置１１０の管理者及び管理センターは自動体外式除細動器１００の利用状況をリアルタイムで把握することができ、敏速な対応を行うことが出来るので自動体外式除細動器１００を効率よく管理できるという効果を奏する。【００２８】  また本発明によれば、自動体外式除細動器収納装置１１０から自動体外式除細動器１００が取り出された場合、警告灯部１３１の警告灯の点灯と警報部１３２のブザー音で、自動体外式除細動器１００の対象になる患者の存在と周囲への協力を得られるという効果を奏する。【００２９】  また本発明よれば自動体外式除細動器１００本体ケースに取り付けられた緊急支援メッセージ装置１７０は自動体外式除細動器１００の対象となる患者への移動中であっても、自動体外式除細動器１００取出し検知部１４０と連動して、自動的に自動体外式除細動器１００の実施者と周囲に対してスピーカーで勇気と支援のメッセージを発することで、周囲からの協力を得られ自動体外式除細動器１００を適切に及び敏速に利用できるという効果を奏する。【００３０】  また本発明によれば、自動体外式除細動器１００を取り出した者の映像を記録する映像記録手段とその映像を自動体外式除細動器収納装置１１０の管理者及び管理センターに通知し、敏速な対応が出来ることで、自動体外式除細動器１００を効率よく管理することが出来、いたずら防止にも効果を奏する。【００３１】  本発明によれば、一般市民も正しく自動体外式除細動器１００を使用することが出来るので自動体外式除細動器１００を有効に利用できるという効果を奏する。
【発明を実施するための最良の形態】
【００３２】  以下に本発明にかかわる、自動体外式除細動器収納装置１１０及び自動体外式除細動器１００使用の支援方法の好適な実施例を添付図面に基いて詳細に説明する。
なお、この実施例により、この発明が限定されるものではない。
【実施例】
【００３３】  まず、本実施例に係わる自動体外式除細動器収納装置１１０の構成について説明する。
図１は本実施例に係わる自動体外式除細動器収納装置１１０の構成を示す機能ブロックである。同図に示すように、この自動体外式除細動器収納装置１１０はいろいろな所に設置された自動体外式除細動器収納装置１１０が自動体外式除細動器収納装置１１０を管理する管理者及び管理センター１８０を無線及び有線を介して接続され、自動体外式除細動器１００、ドア開閉検知部１２０、表示部１３０、警告灯部１３１、警報部１３２、取り出し検知部１４０、自動通報部１５０、タイマー部１６０、緊急支援メッセージ装置１７０、管理者及び管理センター１８０、制御部１９０を有する。【００３４】自動体外式除細動器１００は心拍停止あるいは致死的重症不整脈患者の体内に直流電流を流すことによって、正常の脈に戻し心臓を正常に再開させるための装置であり、自動体外式除細動器収納装置１１０から救助実施者によって取り出され使用される。【００３５】  取り出し検知部１４０は自動体外式除細動器１００が自動体外式除細動器収納装置１１０から取り出されたことを検知するセンサーであり、自動体外式除細動器１００の重さを利用して検出を行う。すなわち、自動体外式除細動器１００が取り出された場合の重さの変化を検出する。【００３６】  表示部１３０は文字を表示する装置であって、通常時は自動体外式除細動器１００の説明、避難場所、商用表示などを四ヶ国語（日本語、英語、中国語、韓国語）で表示し、自動体外式除細動器１００が取り出されたことが検知された場合には、表示部１３０は緊急メッセージに自動的に切り換わる。【００３７】  自動通報部１５０は無線及び有線を介して管理者及び管理センターに通報するための装置である。【００３８】  制御部１９０は、自動体外式除細動器収納装置１１０を制御するための制御部１９０であり、表示部１３０、警告灯部１３１、警報部１３２、取り出し検知部１４０、自動通報部１５０、タイマー部１６０を有する。【００３９】  取り出し検知部１４０は自動体外式除細動器収納装置１１０から自動体外式除細動器１００が取り出されたことを検知し、表示部１３０の表示内容の自動切換え、自動通報部１５０、タイマー部１６０での自動切断、及び自動体外式除細動器１００本体ケースに取り付けられた緊急支援メッセージ装置１７０は、心拍停止及び致死的重症不整脈患者への自動体外式除細動器１００の移動中にスピーカーで周囲に対して、勇気と支援のメッセージを発することの出来る検出部である。【００４０】  図２は自動体外式除細動器収納装置１１０から自動体外式除細動器１００が取り出された場合に、表示部１３０は通常時に告知表示する文章例と、自動体外式除細動器１００が取り出された時に告知表示される文章例を示し、効率よく告知表示することが出来る。【００４１】  図３は自動体外式除細動器収納装置１１０から自動体外式除細動器１００が取り出し、心拍停止及び致死的重症不整脈患者までの移動の間に、自動体外式除細動器１００実施者及び周囲に対してスピーカーで、「急げ」「救急車を呼んでください」「応援お願いします」などのメッセージを音声で出力する緊急支援メッセージ装置であって、周囲の協力を得ることが出来る。【００４２】  また、この取り出し検知部１４０は自動体��式除細動器１００が取り出されたことを検知すると、自動通報部１５０を用いて、自動体外式除細動器収納装置１１０の管理者及び管理センターに緊急通報し、敏速に対応が出来る。【００４３】  さらに、この取り出し検知部１４０は自動体外式除細動器１００が取り出されたことを検知すると、制御部１９０はカメラ１９１を作動させ、取り出し者の映像を記録及びその映像を管理者及び管理センターに通報する。カメラ１９１は自動体外式除細動器収納装置１１０から自動体外式除細動器１００を取り出す者を映せる位置に設置されている。【００４４】  このように、取り出し検知部１４０は自動体外式除細動器１００が取り出されたことを検知すると、管理者及び管理センターや周囲の人に必要な情報を提供することによって、自動体外式除細動器１００の使用状況の把握とともに、自動体外式除細動器１００の適切な使用を支援することが出来る。【００４５】  タイマー部１６０は自動体外式除細動器収納装置１１０から自動体外式除細動器１００が取り出されてから設定時間が経過すると、警告灯部１３１の警告灯を消灯させ、警報部１３２のブザー音を停止させ、不要な消費電力を断つことが目的である。【００４６】  自動通報部１５０は取り出し検知部１４０は自動体外式除細動器１００が取り出されたことを検知した場合に、その情報を通報するのと同時に取り出し者の映像を記録し、その映像を自動体外式除細動器収納装置１１０の管理者及び管理センターに通報する処理部である。【００４７】  自動通報部１５０が取り出し者の映像を記録し、その映像を自動体外式除細動器収納装置１１０の管理者及び管理センターに通報することによって、本来の目的以外に自動体外式除細動器収納装置１１０から自動体外式除細動器１００が取り出されることを防ぐことが出来る。【００４８】  この自動通報部１５０は無線及び有線を介して、管理者及び管理センターに必要な情報を提供し効率の良い管理、運営を行う。【００４９】  次に、自動体外式除細動器収納装置１１０から自動体外式除細動器１００が取り出された場合の自動体外式除細動器収納装置１１０の処理手順について説明する。
図４は、自動体外式除細動器収納装置１１０から自動体外式除細動器１００が取り出された場合の自動体外式除細動器収納装置１１０の処理手順を示すフローチャートである。【００５０】  同図に示すように、この自動体外式除細動器収納装置１１０は、ドア開閉検知部１２０のドアが開かれたことを検知すると（ステップ  １）、警告灯を点灯する。ドアを閉めれば警告灯は消灯する。【００５１】  また、自動体外式除細動器収納装置１１０の取り出し検知部１４０が自動体外式除細動器１００を取り出したことを検知した場合（ステップ  ２）、表示部１３０は緊急メッセージに自動的に切り替わる。（ステップ  ３）【００５２】  また、自動体外式除細動器収納装置１１０の取り出し検知部１４０が自動体外式除細動器１００を取り出したことを検知した場合（ステップ  ２）、自動通報部１５０は管理者及び管理センターに通報する。（ステップ  ４）【００５３】  また、自動体外式除細動器収納装置１１０の取り出し検知部１４０が自動体外式除細動器１００を取り出したことを検知した場合（ステップ  ２）、自動通報部１５０は管理者及び管理センターに自動体外式除細動器１００取出し者の映像を通報する。（ステップ  ５）【００５４】  また、自動体外式除細動器収納装置１１０の取り出し検知部１４０が自動体外式除細動器１００を取り出したことを検知した場合（ステップ  ２）、緊急支援メッセージ装置は心拍停止及び致死的重症不整脈患者への自動体外式除細動器１００の移動中にスピーカーで周囲に対して、勇気と支援を発し、効率よく効果的に救命救急処置を行うことが出来る。（ステップ  ６）【００５５】  また、自動体外式除細動器収納装置１１０の取り出し検知部１４０が自動体外式除細動器１００を取り出したことを検知した場合（ステップ  ２）、タイマー部１６０は設定時間になると（ステップ  ７）、警告灯を消灯（ステップ  ８）、警報ブザー音を停止（ステップ  ９）し、不要な消費電力を断つことが出来る。【００５６】  このように、自動体外式除細動器収納装置１１０の取り出し検知部１４０が自動体外式除細動器１００を取り出したことを検知した場合（ステップ  ２）、管理者及び管理センターに必要な情報を提供することによって自動体外式除細動器１００が適切に使用されることが出来る。【００５７】  なお、本実施例では、通常時の表示部１３０の自動体外式除細動器１００の取り扱い告知表示や、ドア開閉検知部１２０のドアが開かれたときの警告灯を点灯、取り出し検知部１４０が自動体外式除細動器収納装置１１０から自動体外式除細動器１００が取り出されたことを検知すると、管理者及び管理センター１８０に通報し必要な情報を提供し、自動体外式除細動器１００本体に取り付けられた緊急支援メッセージ装置での、自動体外式除細動器１００実施者と周囲への勇気と支援を発する。タイマー部１６０での設定時間後は警告灯の消灯、警報ブザー音の停止について説明したが、本発明ではこれに限定されるものではなく、自動体外式除細動器収納装置１１０が提供する機能の一部、例えば、自動対外式除細動器収納装置１１０から自動体外式除細動器１００が取り出されたことを検知すると、警告灯を点灯、警報ブザー音で周囲に通知だけを行う場合���も同様に適用することが出来る。
【産業上の利用可能性】
【００５８】  以上のように、本発明に係わる自動体外式除細動器収納装置１１０及び自動体外式除細動器１００利用時支援方法は自動体外式除細動器収納装置１１０を設置して運営、管理するのに有用であり、特に駅、役所、集会所などの公共施設、体育館、商店街、デパート、運動場など人の集まる場所に、自動体外式除細動器１００を設置する場合に適している。
【図面の簡単な説明】
【００５９】
【図１】  本実施例に係わる自動体外式除細動器収納装置の構成を示す機能ブロック図である。
【図２】  自動体外式除細動器収納装置の運用時による自動体外式除細動器の目的等の説明（四ヶ国語）と、自動体外式除細動器の取り出し時による、緊急メッセージ例を示す。
【図３】  緊急支援メッセージ装置のブロック図と緊急メッセージ例を示す。
【図４】  自動体外式除細動器が自動体外式除細動器収納装置から取り出された場合の自動体外式除細動器収納装置の処理手順を示すフローチャートである。
【符号の説明】
【００６０】１００：  自動体外式除細動器
１１０：  自動体外式除細動器収納装置
１１１：  ケガへの一次対応救急備品
１１２：  一次対応の消火器
１２０：  ドア開閉検知部
１３０：  表示部
１３１：  警告灯部
１３２：  警報部
１４０：  取り出し検知部
１５０：  自動通報部
１６０：  タイマー部
１７０：  緊急支援メッセージ装置
１８０：  管理者及び管理センター
１９０：  制御部
１９１：  カメラ
【図１】
2009022701.tif 000003
【図２】
2009022701.tif 000004
【図３】
2009022701.tif 000005
【図４】
2009022701.tif 000006